(57)【要約】【課題】取り付け及び取り外しを容易にし、かつ、耐久性及び水密性に優れた外壁パネルの目地構造を提供する。【解決手段】互いに隣接する両外壁パネルＰの目地部側端部に、隙間Ｓを残して対峙する水密保持材３０を設けると共に、一方のパネルの目地部側端部に目地支持材４０を設ける。目地材６を、両外壁パネルＰの目地部を外部から覆う目板部６０と、目板部６０の室内側面から室内側に向かって延在する突出部６１と、突出部６１の先端から折曲されて隙間Ｓを塞ぐ折曲部６２と、折曲部６２の室内側面に装着されるパッキン５０とで形成する。折曲部６２を、パッキン５０を介して水密保持材３０の室外側面に当接すると共に、隙間Ｓを塞いだ状態で、目板部６０を目地支持材４０の室外側面に固定ねじ１８によって固定する。【選択図】    図４
2006176955.tif 000002
【特許請求の範囲】
【請求項１】
建築物の外壁を構成するパネル間の目地部を閉塞する目地材を用いる外壁パネルの目地構造であって、
互いに隣接する上記両パネルの目地部側端部に、隙間を残して対峙する水密保持材を設けると共に、一方のパネルの目地部側端部に、水密保持材の室外側に延在する目地支持材を設け、
上記目地材は、上記両パネルの目地部を外部から覆う目板部と、この目板部の室内側面から室内側に向かって延在する突出部と、この突出部の先端から折曲されて上記水密保持材間の隙間を塞ぐ折曲部と、この折曲部の室内側面に装着されるパッキンとを具備してなり、
上記折曲部を、上記パッキンを介して上記隙間を塞ぐべく上記水密保持材の室外側面に当接すると共に、上記目板部を、上記目地支持材の室外側面に当接し、かつ、固定部材によって固定してなる、ことを特徴とする外壁パネルの目地構造。
【請求項２】
請求項１記載の外壁パネルの目地構造において、
上記目地材の目板部に室外側が開口する凹溝を長手通しに設けると共に、この凹溝を目地支持材に当接し、かつ、凹溝内に収容される固定部材によって固定してなる、ことを特徴とする外壁パネルの目地構造。
【請求項３】
請求項２記載の外壁パネルの目地構造において、
上記凹溝の開口部に化粧材を被着してなる、ことを特徴とする外壁パネルの目地構造。
【請求項４】
請求項１ないし３のいずれかに記載の外壁パネルの目地構造において、
上記水密保持材及び目地支持材は、パネルを構成する補強桁枠に設けられている、ことを特徴とする外壁パネルの目地構造。
【請求項５】
請求項１ないし３のいずれかに記載の外壁パネルの目地構造において、
上記水密保持材及び目地支持材は、パネルを構成する窓枠材に設けられている、ことを特徴とする外壁パネルの目地構造。
【請求項６】
請求項１ないし５のいずれかに記載の外壁パネルの目地構造において、
上記目地材は、アルミニウム合金製の押出形材にて形成されている、ことを特徴とする外壁パネルの目地構造。
【発明の詳細な説明】
【技術分野】
【０００１】
この発明は、建築物の外壁を構成するパネル間の目地部を閉塞する外壁パネルの目地構造に関するものである。
【背景技術】
【０００２】
近年では、コンビニエンスストア，ファミリーレストラン等のフランチャイズ店や仮設住宅等の建築物の需要が高まっている。これらの建築物は使用期間が限られているものが多いため、その構成部材は解体後も保管，再利用可能な構造となっている。
【０００３】
外壁についても解体後は、保管，再利用可能とするために、複数のパネルを所定の場所に配置させて壁面を構成する構造が採られている。
【０００４】
ところで、これら外壁を構成するパネルの目地部からの雨水等の水分浸入をどのように防ぐかが問題となっている。
【０００５】
パネル間の目地部の水密構造として、例えばパネル間の目地部にコーキング材を充填する構造のものが知られている（例えば、特許文献１参照）。また、別の水密構造として、パネル間の目地部に軟質部を有する目地材を一方のパネル端部に接着した構造のものが知られている（例えば、特許文献２参照）。
【特許文献１】実開平５−８９６１２号公報（実用新案登録請求の範囲、図１，図４）
【特許文献２】特開平１１−２４７３１４号公報（特許請求の範囲、図１）
【発明の開示】
【発明が解決しようとする課題】
【０００６】
しかしながら、前者すなわち実開平５−８９６１２号公報に記載の構造のものは、外壁パネル間の目地部にコーキング材を充填されているため、損傷や老朽化等により外壁パネルを交換する際には、まずコーキング材を剥がし取り、新たな外壁パネルを配置した後、再びコーキング材を充填する必要がある。また、後者すなわち特開平１１−２４７３１４号公報に記載の構造においては、目地材が外壁パネルに接着されているため、これにおいても損傷や老朽化等により外壁パネルを交換する際には、目地材を剥がし取り、新たな外壁パネルを配置した後、再び目地材を接着する必要がある。
【０００７】
したがって、従来のこの種の目地構造においては、いずれも作業に熟練と労力を要する上、コーキング材や目地材自体は再利用不可能であるという問題があった。また、コーキング材や目地材自身が軟質であるため、物理的な力や腐食，紫外線等により劣化や損傷を受け易いという問題もあった。
【０００８】
この発明は、上記事情に鑑みなされたのもので、容易に取り付け，取り外しが可能で、かつ、耐久性及び水密性に優れた外壁パネルの目地構造を提供することを課題とする。
【課題を解決するための手段】
【０００９】
上記目的を達成するため、この発明は、次のように構成したものである。
【００１０】
この発明の外壁パネルの目地構造は、建築物の外壁を構成するパネル間の目地部を閉塞する目地材を用いる外壁パネルの目地構造を前提とし、  互いに隣接する上記両パネルの目地部側端部に、隙間を残して対峙する水密保持材を設けると共に、一方のパネルの目地部側端部に、水密保持材の室外側に延在する目地支持材を設け、  上記目地材は、上記両パネルの目地部を外部から覆う目板部と、この目板部の室内側面から室内側に向かって延在する突出部と、この突出部の先端から折曲されて上記水密保持材間の隙間を塞ぐ折曲部と、この折曲部の室内側面に装着されるパッキンとを具備してなり、  上記折曲部を、上記パッキンを介して上記隙間を塞ぐべく上記水密保持材の室外側面に当接すると共に、上記目板部を、上記目地支持材の室外側面に当接し、かつ、固定部材によって固定してなる、ことを特徴とする（請求項１）。
【００１１】
この発明において、上記目地材の目板部に室外側が開口する凹溝を長手通しに設け、この凹溝を目地支持材に当接し、かつ、凹溝内に収容される固定部材によって固定することを特徴とする（請求項２）。この場合、上記凹溝の開口部に化粧材を被着する方が好ましい（請求項３）。
【００１２】
また、上記水密保持材及び目地支持材を、パネルを構成する補強桁枠に設けるようにしてもよく（請求項４）、あるいは、上記水密保持材及び目地支持材を、パネルを構成する窓枠材に設けるようにしてもよい（請求項５）。
【００１３】
加えて、上記目地材の材質は任意のものであっても差し支えないが、好ましくはアルミニウム合金製の押出形材にて形成する方がよい（請求項６）。
【発明の効果】
【００１４】
この発明によれば、次のような優れた効果が得られる。
【００１５】
（１）請求項１記載の発明によれば、隣接する両パネルの目地部側端部に、隙間を残して対峙する水密保持材を設けると共に、一方のパネルの目地部側端部に、水密保持材の室外側に延在する目地支持材を設け、目地材に、両パネルの目地部を外部から覆う目板部と、この目板部の室内側面から室内側に向かって延在する突出部と、この突出部の先端から折曲されて水密保持材間の隙間を塞ぐ折曲部と、この折曲部の室内側面に装着されるパッキンとを設けて、折曲部を、パッキンを介して隙間を塞ぐべく水密保持材の室外側面に当接すると共に、目板部を、目地支持材の室外側面に当接して、固定部材によって固定するので、熟練や多くの労力を要することなく容易に目地材を取り付け，取り外しすることができる。また、取付時においては、パッキンを介して折曲部が水密保持材間に隙間を塞ぐので、気密性の向上が図れる。
【００１６】
（２）請求項２記載の発明によれば、目地材の目板部に室外側が開口する凹溝を長手通しに設け、この凹溝を目地支持材に当接し、かつ、凹溝内に収容される固定部材によって固定するので、固定部材の外部への露出を抑制することができる。したがって、上記（１）に加えて、更に外観の美観を高めることができる。この場合、凹溝の開口部に化粧材を被着することにより、固定部材を外部から目隠しすることができるので、更に外観の美観を高めることができる（請求項３）。
【００１７】
（３）請求項４，５記載の発明によれば、パネルを構成する補強桁枠や窓枠材に、水密保持材及び目地支持材を設けることにより、水密保持材及び目地支持材をパネルと一体的に取り付けることができる。したがって、上記（１），（２）に加えて、更に水密保持材及び目地支持材に高い剛性を持たせることができ、かつ、構成部材の削減が図れると共に、取付作業の低減が図れる。
【００１８】
（４）請求項６記載の発明によれば、目地材をアルミニウム合金製の押出形材にて形成するので、複雑な形状の目地材を効率よく生産できると共に、目地材自体の物理的強度，耐食，紫外線等に対して優れた強度を有し、かつ、外観の体裁を良好なものにすることができる。
【発明を実施するための最良の形態】
【００１９】
以下に、この発明の最良の実施形態を添付図面に基づいて詳細に説明する。
【００２０】
＜第１実施形態＞
図１は、この発明に係る外壁パネルの目地構造を適用した建築物の正面図、図２は、この発明における外壁パネルを示す正面図、図３は、外壁パネルの取付状態を示す断面図（ａ）及び（ａ）のＩ部を示す拡大断面図、図４は、この発明に係る外壁パネルの目地構造の第１実施形態を示す断面図である。ここでは、建築物を、例えばコンビニエンスストアに用いられるプレハブ式の建物に適用した場合について説明する。
【００２１】
上記建築物Ｂ（以下に建物Ｂという）は、図１に示すように、略直方体の鉄骨製構造体（図示せず）と、この構造体の上面を覆う屋根ユニットＲと、構造体の前後左右の壁面を形成する外壁パネルＰを組み合わせることによって外装が形成されている。上記外壁パネルＰは、外壁面を形成する外壁パネル材１と、窓面等を形成する窓パネル材７とによって形成されている。この場合、建物Ｂの前面側は２枚の外壁パネル材１と、７枚の窓パネル材７とを連結することによって構成されている。
【００２２】
上記外壁パネル材１は、図２及び図３に示すように、外側に長板状に形成されたパネル体１０を縦方向に複数枚（この場合７枚）を積み重ねて連結され、積み重ねられたこれらパネル体１０の内側の周縁部に、フレーム状に補強桁枠１１が取り付けられている。
【００２３】
上記補強桁枠１１は、図２及び図３に示すように、例えばスチール製の中空状の角パイプによって４辺を形成する補強枠材１１ａと、この補強枠材１１ａにおける上下対向する２辺の補強枠材１１ａに連結される互いに平行な２本の補強縦枠材１１ｂと、下辺の補強枠材１１ａに例えば溶接等により沿設され、パネル体１０の最下端部を固定する下枠材１１ｃとで構成されている。また、上辺の補強枠材１１ａの両端部には建物Ｂの構造体に外壁パネル材１を取付固定するための連結金具１２が設けられると共に、連結金具１２より中心側の対向する２箇所に、建物Ｂの天井部に敷設されたレール９０（図３）上を転動する車輪１３が装着されている。
【００２４】
上記パネル体１０は、例えばアルミニウム合金やスチール等の金属薄板１０ａによって中空状に形成されており、中空部内に例えばスポンジ等の発泡性心材１０ｂを充填して形成されている。また、パネル体１０は、下端部の内側面に段部１０ｃを有して薄肉に形成されており、パネル体１０の外側面に垂下する下方突片１０ｄと、内側面から垂下する金属薄板状の係合片１０ｅとによって下方に開口する嵌合溝１０ｆが長手通しに形成されている。一方、パネル体１０の上端部には嵌合溝１０ｆに嵌合可能な嵌合凸条１０ｇが形成されると共に、内側面から延在する金属薄板状のねじ受片１０ｈが形成されている。
【００２５】
このように形成されたパネル体１０同士を連結して外壁パネル材１を組み立てるには、まず、金属薄板によって形成され断面略ヘアピン状のスタータ１４をスペーサ１５を介して補強桁枠１１の下枠材１１ｃに取付ねじ１６によって取り付ける。次に、スタータ１４にパネル体１０の係合片１０ｅを係合することによって、最下段のパネル体１０の位置決めをする。この状態で、最下段のパネル体１０の上端部に形成されたねじ受片１０ｈを補強枠材１１ａと補強縦桁材１１ｂとの間にスペーサ１５を介して取付ねじ１６を螺合することによって、最下段のパネル体１０を補強桁枠１１に取り付ける。次に、積み重ねるパネル体１０の嵌合溝１０ｆに、補強桁枠１１に取り付けられたパネル体１０の嵌合凸条１０ｇを嵌合してパネル体１０を積み重ねると共に、上記と同様に、ねじ受片１０ｈを補強枠材１１ａと補強縦桁材１１ｂとの間にスペーサ１５を介して取付ねじ１６によって取り付ける。この作業を繰り返して、複数枚（この場合７枚）のパネル体１０を積み重ねて補強桁枠１１に取り付けることによって、外壁パネル材１を組み立てることができる。なお、上記嵌合溝１０ｆの底部付近にはパッキン１０ｉが取り付けられており、パネル体１０の連結状態において連結部の気水密性が維持されている。
【００２６】
このように形成された外壁パネル材１は、図２及び図３に示すように、補強桁枠１１の上端の例えば２箇所に車輪１３が装着されており、この車輪１３を建物Ｂの構造体に設けられたレール９０上を走行させることによって、建物Ｂの組み立て時および解体時に外壁パネル材１を容易に移動することができる。
【００２７】
また、外壁パネル材１の室内側には、建物Ｂの内壁を形成する内壁パネル２０が配設されており、内壁パネル２０の上端には天井を形成する天井パネル２１が取り付けられている。なお、内壁パネル２０及び天井パネル２１は、一対の表面板２２と、これら表面板２２の辺部間に介在される枠材２３と、両表面板２２及び枠材２３にて形成される空間内に充填される例えば発泡ポリウレタン等の発泡性の断熱心材２４とで主に構成されている。なお、内壁パネル２０は、地面に打ち付けられたアンカーボルト９１に取り付けられた受け枠９２に嵌合して立設されている。
【００２８】
上記外壁パネル材１には、図４に示すように、互いに隣接する外壁パネル材１の補強桁枠１１の目地部側端部に、隙間Ｓを残して対峙する水密保持材３０を設けられている。また、一方の外壁パネル材１（図４において右側）の補強桁枠１１の目地部側端部には、水密保持材３０の室外側に延在する目地支持材４０が設けられている。
【００２９】
上記水密保持材３０は、例えばアルミニウム合金製の断面略Ｌ字状の押出形材にて形成されており、補強桁枠１１の目地部側端部に例えば溶接等によって取り付けられる固定片３１と、後述する目地材６のパッキン５０を保持する水密保持片３２とで形成されている。
【００３０】
なお、水密保持材３０の表面及び補強桁枠１１のパネル体１０側の面には、図４ないし図８において破線で示すように、防水シート５が被覆されている。
【００３１】
上記目地支持材４０は、例えばアルミニウム合金製の断面略Ｌ字状の押出形材にて形成されており、水密保持材３０の固定片３１上に取付ねじ１７によって取り付けられる取付片４１と、後述する目地材６の凹溝６３の底部６３ａを保持する目地支持片４２とで形成されている。なお、水密保持材３０の固定片３１と目地支持材４０の取付片４１との間に、例えばエチレン・プロピレン共重合体（ＥＰＤＭ）によって形成される緩衝材（図示せず）を介在してもよい。
【００３２】
一方、目地材６は、例えばアルミニウム合金製の押出形材にて形成されており、図４ないし図８に示すように、両外壁パネル材１の目地部を外部から覆う目板部６０と、この目板部６０の室内側面から室内側に向かって延在する突出部６１と、この突出部６１の先端から折曲されて上記水密保持材３０間の隙間Ｓを塞ぐ折曲部６２と、この折曲部６２の室内側面に装着されるパッキン５０とによって主に構成されている。
【００３３】
この場合、目板部６０は、略中央に室外側に開口し長手通しに形成される凹溝６３と、凹溝６３の開口両端部から外壁パネル材１の目地部側端部に向かって延在すると共に、先端部がシール部材５１を介してパネル体１０に当接する一対の目地片６４とによって形成されている。
【００３４】
上記凹溝６３には、上記目地支持材４０の目地支持片４２に当接すると共に、凹溝６３内に収容される固定部材すなわち固定ねじ１８によって目地支持片４２に固定される底部６３ａが形成されると共に、凹溝６３の両開口端から開口部内方に向かって突出する係合突起６３ｂが形成されている。なお、凹溝６３には、凹溝６３の開口部を目隠しする化粧材６５が着脱可能に取り付けられている。
【００３５】
上記化粧材６５は、凹溝６３側に開口を有する断面略コ字状に形成されており、凹溝６３の開口部を目隠しする状態において、開口内に上記固定ねじ１８の頭部を収容すると共に、一対の側片の基端部に凹溝６３の開口端に設けられた係合突起６３ｂに係合可能な隆起部６５ａを形成してなる。このように形成される化粧材６５は、例えばアルミニウム合金製押出形材あるいは合成樹脂製部材時等にて形成される。
【００３６】
このように目地材６の凹溝６３に化粧材６５を嵌入することで、凹溝６３を目隠しすることができるので、目地部の美観の向上を図ることができる。
【００３７】
一方、目地片６４は、パネル体１０に対して水平に形成されており、先端部の室内側にシール部材５１を着脱可能に装着するチャンネル状の収容溝６４ａが形成されている。
【００３８】
上記シール部材５１は、外壁パネル材１のパネル体１０に弾性を有して当接する断面略く字状のシール部と、弾性変形可能な中空状の嵌合部とで形成されている。
【００３９】
このように形成されるシール部材５１によって、外壁パネル材１の目地部に目地材６を取り付けた際、目地材６とパネル体１０とを気水密にすることができる。
【００４０】
上記突出部６１は、目板部６０の凹溝６３の一方の側部（図４ないし図８において左側）から室内側に向かって延在されている。
【００４１】
上記折曲部６２は、突出部６１の先端から図４ないし図８において右側に略直角に折曲されており、室内側面に例えば接着剤等の接着手段によりパッキン５０が取り付けられている。
【００４２】
上記パッキン５０は、耐候性，耐熱性等に富む弾性を有する材料、例えばエチレン・プロピレン共重合体（ＥＰＤＭ）によって形成されている。このパッキン５０は、上記両水密保持片３２に当接されると共に、両水密保持材３０間に形成される隙間Ｓを塞ぐように弾性変形することによって、目地材６と水密保持材３０とを密接することができるので、目地部の気水密性の向上を図ることができる。
【００４３】
上記のように形成された目地材６によって外壁パネル材１の目地部を閉塞するには、以下の手順によって行う。まず、目地材６の両収容溝６４ａにシール部材５１を嵌装した状態で、図７及び図８に示すように、右側に位置する目地片６４の端部を外壁パネル材１のパネル体１０に当接させると共に、反対側すなわち左側に位置する目地片６４を外壁パネル材１から離れた位置に配置する。この状態において目地材６の折曲部６２が目地支持材４０の目地支持片４２と干渉しないように、右側の目地片６４の端部を中心にして目地材６を時計回りに回転させると共に、折曲部６２を目地支持片４２の室内側空間に移動させる。
【００４４】
次に、外壁パネル材１間の目地部を目地材６の目板部６０によって閉塞するように、目地材６の取り付け位置を決め、この状態で、目地材６の凹溝６３内に適宜間隔をおいて電動ドリル等によって凹溝６３の底部６３ａと目地支持材４０の目地支持片４２とを貫通する取付孔（図示せず）を穿設する。そして、この取付孔に固定ねじ１８を螺合することによって目地材６と目地支持材４０が固定されると共に、目地材６の折曲部６２に取り付けられたパッキン５０が両水密保持材３０に当接し、更に固定ねじ１８をねじ込むことによって、両水密保持材３０間に形成される隙間Ｓを塞ぐようにパッキン５０が弾性変形して、隙間Ｓを密閉することができる。また、両目地片６４の先端部に装着されたシール部材５１は、固定ねじ１８をねじ込むことによって、パネル体１０に当接すると共に、弾性変形するので、目地材６とパネル体１０の気水密性の向上を図ることができる。このように目地材６を外壁パネル材１の目地部に固定ねじ１８によって取り付けた後に、目地材６の凹溝６３に化粧材６５を嵌入することで、外壁パネル材１の目地部への目地材６の取付作業を終了する。
【００４５】
また、建物Ｂを解体する際に、外壁パネル材１の目地部から目地材６を取り外すには、上記説明と逆の手順を行えばよく、まず、目地材６の凹溝６３から化粧材６５を取り外し、凹溝６３内の固定ねじ１８を緩めることによって、目地材６と水密保持材３０との固定が解かれる。次に、目地部から目地材６を引き離すと共に、目地材６の折曲部６２が目地支持材４０の目地支持片４２と干渉しないように、右側に位置する目地片６４の端部をパネル体１０に当接させる。そして、この右側の目地片６４の端部を中心に目地材６を反時計回りに回転することによって、折曲部６２を目地支持片４２より室外側に移動させて目地材６を外壁パネル材１の目地部から取り外すことで、目地材６の取り外し作業を終了する。
【００４６】
＜第２実施形態＞
次に、この発明の第２実施形態を、図９ないし図１３を参照して説明する。図９は、この発明に係る外壁パネルの目地構造の第２実施形態を示す断面図、図１０は、第２実施形態を示す断面斜視図、図１１は、第２実施形態を示す分解斜視図、図１２は、第２実施形態における目地材の取付状態を示す斜視図、図１３は、第２実施形態における目地材の取付状態を示す断面図である。
【００４７】
第２実施形態は、外壁パネルＰを構成する外壁パネル材１と窓パネル材７との目地構造に関するものである。すなわち、外壁パネル材１と窓パネル材７との目地部に目地材６を取り付けて、目板部６０を閉塞した場合である。
【００４８】
第２実施形態において、窓パネル材７は、図９に示すように、窓部を形成するガラス板８と、このガラス板８を固定する窓枠材７０とによって主に構成されている。
【００４９】
上記窓枠材７０は、ガラス板８の縁部を収容し挟持して固定するガラス受け部７１と、建物Ｂの室外側に位置し、上記外壁パネル材１のパネル体１０と同一面を形成する枠縁面７２と、外壁パネル材１に設けられた水密保持材３０の水密保持片３２に対峙するように突設される水密保持部７３と、上記目地材６の凹溝６３の底部６３ａを保持する目地支持部７４と、建物Ｂの内壁を形成する内壁パネル４０に、連結部材（図示せず）を介して連結される内壁連結部７５とを有する、例えばアルミニウム合金製の押出形材によって一体に形成されている。
【００５０】
上記ガラス受け部７１は、窓枠材７０の内方に向かって開口する凹溝状に形成されており、建物Ｂの室内側の開口端部に、ガラス板８の縁部内面と接触する内シール体５２が嵌装され、対向する側すなわち建物Ｂの室外側の開口端部に、ガラス板８の縁部外面と接触する外シール体５３が嵌装されている。
【００５１】
このようにガラス受け部７１を形成することによって、ガラス板８の縁部を内シール体５２と外シール体５３とで押圧した状態で挟持することにより、ガラス板８を窓枠材７０に固定することができ、内シール体５２及び外シール体５３によってガラス板８と窓枠材７０との気水密性を保つことができる。
【００５２】
なお、第２実施形態において目地材６は、上記第１実施形態において説明した目地材６と同一形状であり、天地を逆にすることによって第２実施形態における目地材６として用いることができる。また、外壁パネル材１は、目地支持材４０を設けない構造のもので、第２実施形態のその他の部分は、上記第１実施形態と同様なので、同一部分には同一符号を付してその説明を省略する。
【００５３】
上記のように形成された窓パネル材７と外壁パネル材１の目地部を目地材６によって閉塞するには、以下の手順によって行う。まず、目地材６の両収容溝６４ａにシール部材５１を嵌装した状態で、図１２及び図１３に示すように、左側に位置する目地片６４の端部を窓枠材７０の枠縁面７２に当接させると共に、反対側すなわち右側に位置する目地片６４を外壁パネル材１から離れた位置に配置する。この状態において目地材６の折曲部６２が窓枠材７０の目地支持部７４と干渉しないように、左側の目地片６４の端部を中心にして目地材６を反時計回りに回転させると共に、折曲部６２を目地支持部７４の室内側空間に移動させる。
【００５４】
次に、窓パネル材７と外壁パネル材１間の目地部を目地材６の目板部６０によって閉塞するように、目地材６の取り付け位置を決め、この状態で、目地材６の凹溝６３内に適宜間隔をおいて電動ドリル等によって凹溝６３の底部６３ａと窓枠材７０の目地支持部７４とを貫通する取付孔（図示せず）を穿設する。そして、この取付孔に固定ねじ１８を螺合することによって目地材６と窓枠材７０が固定されると共に、目地材６の折曲部６２に取り付けられたパッキン５０が水密保持部７３と水密保持片３２に当接し、更に固定ねじ１８をねじ込むことによって、水密保持部７３と水密保持片３２間に形成される隙間Ｓを塞ぐようにパッキン５０が弾性変形して、隙間Ｓを密閉することができる。また、両目地片６４の先端部に装着されたシール部材５１は、固定ねじ１８をねじ込むことによって、枠縁面７２及びパネル体１０に当接すると共に、弾性変形するので、目地材６と窓枠材７０及びパネル体１０の気水密性の向上を図ることができる。このように目地材６を窓パネル材７と外壁パネル材１の目地部に固定ねじ１８によって取り付けた後に、目地材６の凹溝６３に化粧材６５を嵌入することで、窓パネル材７と外壁パネル材１の目地部への目地材６の取付作業を終了する。
【００５５】
また、建物Ｂを解体する際に、窓パネル材７と外壁パネル材１の目地部から目地材６を取り外すには、上記説明と逆の手順を行えばよく、まず、目地材６の凹溝６３から化粧材６５を取り外し、凹溝６３内の固定ねじ１８を緩めることによって、目地材６と窓枠材７０との固定が解かれる。次に、目地部から目地材６を引き離すと共に、目地材６の折曲部６２が窓枠材７０の目地支持部７４と干渉しないように、左側に位置する目地片６４の端部を枠縁面７２に当接させる。そして、この左側の目地片６４の端部を中心に目地材６を時計回りに回転することによって、折曲部６２を目地支持部７４より室外側に移動させて目地材６を窓パネル材７と外壁パネル材１の目地部から取り外すことで、目地材６の取り外し作業を終了する。
【００５６】
＜その他の実施形態＞
なお、上記第１及び第２実施形態では、コンビニエンスストア等のプレハブ式建物における外壁パネルの目地構造について説明したが、コンビニエンスストア等のプレハブ式建物以外の建物における外壁パネルの目地構造に適用できることは勿論であり、外壁以外の目地構造に適用できることも勿論である。
【００５７】
また、上記第１実施形態では、隣接する外壁パネル材１間の目地部の目地構造について、第２実施形態では、窓パネル材７と外壁パネル材１間の目地部の目地構造について説明したが、上記の組合せ以外の例えば隣接する窓パネル材７間の目地部の目地構造に適用できることも勿論である。
【図面の簡単な説明】
【００５８】
【図１】この発明に係る外壁パネルの目地構造を適用した建築物の一例を示す正面図である。
【図２】この発明における外壁パネルの一例を示す正面図である。
【図３】外壁パネルの取付状態を示す断面図（ａ）及び、（ａ）のＩ部を示す拡大断面図（ｂ）である。
【図４】この発明に係る目地構造の第１実施形態を示す断面図である。
【図５】上記目地構造を示す断面斜視図である。
【図６】この発明における外壁パネル及び目地材を示す分解斜視図である。
【図７】目地材の取付状態を示す斜視図である。
【図８】目地材の取付状態を示す断面図である。
【図９】この発明に係る目地構造の第２実施形態を示す断面図である。
【図１０】第２実施形態の断面斜視図である。
【図１１】第２実施形態の分解斜視図である。
【図１２】第２実施形態における目地材の取付状態を示す断面斜視図である。
【図１３】第２実施形態における目地材の取付状態を示す断面図である。
【符号の説明】
【００５９】
Ｓ  隙間
Ｐ  外壁パネル
１  外壁パネル材
６  目地材
７  窓パネル材
１１  補強桁枠
１８  固定ねじ（固定部材）
３０  水密保持材
４０  目地支持材
５０  パッキン
６０  目板部
６１  突出部
６２  折曲部
６３  凹溝
６５  化粧材
７０  窓枠材  
【図１】
2006176955.tif 000003
【図２】
2006176955.tif 000004
【図３】
2006176955.tif 000005
【図４】
2006176955.tif 000006
【図５】
2006176955.tif 000007
【図６】
2006176955.tif 000008
【図７】
2006176955.tif 000009
【図８】
2006176955.tif 000010
【図９】
2006176955.tif 000011
【図１０】
2006176955.tif 000012
【図１１】
2006176955.tif 000013
【図１２】
2006176955.tif 000014
【図１３】
2006176955.tif 000015